(57)【要約】  【課題】  導通不良を防止するとともに電球の緩みを確実に防止できる照明装置を備えた冷蔵庫を提供する。  【解決手段】  庫内を照明する照明装置１０を備えた冷蔵庫１において、照明装置１０は、庫内に取り付けられるソケット１２と、ソケット１２の受金１３に螺合する電球１９と、ソケット１２に設けられるとともに電球１９の端面１９ｃに突出した端子１９ｂに当接する弾性体から成る接点１６と、ソケット１２に設けられるとともに端子１９ｂの周囲に当接する中子１５とを有する。【選択図】      図３
2007032894.tif 000002
【特許請求の範囲】
【請求項１】
庫内を照明する照明装置を備えた冷蔵庫において、前記照明装置は、庫内に取り付けられるソケットと、前記ソケットに螺合する電球と、前記ソケットに設けられるとともに前記電球の端面に突出した端子に当接する弾性体から成る接点と、前記ソケットに設けられるとともに前記端子の周囲に当接する中子とを有することを特徴とする冷蔵庫。
【請求項２】
前記接点が板バネから成ることを特徴とする請求項１に記載の冷蔵庫。
【請求項３】
前記中子は筒状の絶縁体から成ることを特徴とする請求項１または請求項２に記載の冷蔵庫。
【請求項４】
前記中子は先端を屈曲して前記電球の端面に面接触する平面部を有することを特徴とする請求項１〜請求項３のいずれかに記載の冷蔵庫。
【発明の詳細な説明】
【技術分野】
【０００１】
本発明は、庫内を照明する照明装置を備えた冷蔵庫に関する。
【背景技術】
【０００２】
従来の冷蔵庫は特許文献１に開示されている。この冷蔵庫は庫内の背壁に照明装置が配される。照明装置は背壁に取り付けられるソケットを有し、ソケットに電球の口金部が螺合される。電球の端面には口金部と絶縁される端子が突設され、ソケットに設けた板状の接点に端子が当接する。これにより、口金と端子との間に電圧が印加され、電球が点灯する。
【０００３】
また、接点を片持ちの板バネにより形成して電球を付勢する照明装置が知られている。これにより、ソケットに電球を螺合すると電球が接点により付勢され、圧縮機の振動等による電球の緩みが防止される。
【特許文献１】特開２００４−３７００４号公報（第４頁−第６頁、第４図）
【発明の開示】
【発明が解決しようとする課題】
【０００４】
しかしながら、上記従来の冷蔵庫によると、ソケットに電球を締付けすぎると板バネから成る接点のバネ性が破壊され、塑性変形する場合がある。その結果、導通不良が発生するとともに、電球に付勢力が加わらずに圧縮機の振動等による電球の緩みが発生する問題があった。
【０００５】
本発明は、導通不良を防止するとともに電球の緩みを確実に防止できる照明装置を備えた冷蔵庫を提供することを目的とする。
【課題を解決するための手段】
【０００６】
上記目的を達成するために本発明は、庫内を照明する照明装置を備えた冷蔵庫において、前記照明装置は、庫内に取り付けられるソケットと、前記ソケットに螺合する電球と、前記ソケットに設けられるとともに前記電球の端面に突出した端子に当接する弾性体から成る接点と、前記ソケットに設けられるとともに前記端子の周囲に当接する中子とを有することを特徴としている。
【０００７】
この構成によると、ソケットに電球を螺合すると電球の端面に突出した端子が板バネやコイルバネ等から成る接点を押圧して接点が弾性変形するとともに、接点の周囲が中子に当接して螺合量が規制される。これにより、電球は端面が中子に押しつけられた状態で締付けられ、電圧の印加により照明装置が点灯して庫内が照明される。
【０００８】
また本発明は、上記構成の冷蔵庫において、前記接点が板バネから成ることを特徴としている。この構成によると、電球を螺合する際に、端子との接触により接点が弾性変形を開始した後、中子が電球の端面に当接する。
【０００９】
また本発明は、上記構成の冷蔵庫において、前記中子は筒状の絶縁体から成ることを特徴としている。この構成によると、筒状の中子により端子の周囲が支持される。中子は両端が貫通してもよく、一端が有底でもよい。
【００１０】
また本発明は、上記構成の冷蔵庫において、前記中子は先端を屈曲して前記電球の端面に面接触する平面部を有することを特徴としている。この構成によると、筒状の中子の先端に形成される平面部が端子の周囲に面接触する。
【発明の効果】
【００１１】
本発明によると、端子の周囲に当接して電球の螺合量を規制する中子をソケットに設けたので、電球は中子に当接して締付けられる。従って、接点のバネ性を破壊することなく、接点と端子とを確実に導通させるとともに、圧縮機の振動等による電球の緩みを防止することができる。
【００１２】
また本発明によると、接点が板バネから成るので、電球の端面が中子に当接した際に確実に接点と端子とを接触させることができる。
【００１３】
また本発明によると、中子は筒状の絶縁体から成るので、簡単に電球の螺合量を規制することができる。
【００１４】
また本発明によると、中子が先端を屈曲して電球の端面に面接触する平面部を有するので、電球により中子を押圧する押圧力が分散して電球の端面及び中子の損傷を防止することができる。
【発明を実施するための最良の形態】
【００１５】
以下に本発明の実施形態を図面を参照して説明する。図１は第１実施形態の冷蔵庫を示す斜視図である。冷蔵庫１は上方から順に冷蔵室２、冷凍室３、野菜室４が設けられる。冷蔵室２の前面は回動式の断熱扉５により開閉される。冷凍室３及び野菜室４の前面は引き出し式の断熱扉６、７によりそれぞれ開閉される。
【００１６】
図２は冷蔵庫１の概略を示す側面断面図である。冷蔵室２の上部後方には冷蔵室２内を照明する照明装置１０が配される。照明装置１０は透明なカバー１１で覆われ、カバー１１は背壁２ａ及び天井壁２ｂに係止されている。
【００１７】
図３は照明装置１０の詳細を示す側面断面図である。照明装置１０は冷蔵室２の背壁２ａに固着される樹脂成形品から成る有底筒状のソケット１２を有している。ソケット１２は雌ネジを螺設した金属製の受金１３が内面側に一体化され、受金１３にはリード線１７が接続されている。
【００１８】
ソケット１２の底部には絶縁体１４を介して片持ちの板バネから成る接点１６が設けられる。接点１６にはリード線１８が接続されている。接点１６の周囲には、リード線１８を挿通する貫通孔（不図示）を有した有底筒状の中子１５が配される。中子１５は両端を開放した筒状に形成してもよい。中子１５は絶縁体から成り、接点１６と受金１３との短絡を防止することができる。
【００１９】
ソケット１２の受金１３には、雄ネジを螺設した口金部１９ａを有する電球１９が螺合される。電球１９の口金部１９ａの端面１９ｃには口金部１９ａと絶縁される端子１９ｂが突設される。電球１９の螺合により端子１９ｂが接点１６に接触する。これにより、口金部１９ａと端子１９ｂとの間に電圧が印加され、電球１９が点灯する。
【００２０】
電球１９は螺合する際に端子１９ｂが接点１６に接触して接点１６が弾性変形し、その後、端面１９ｃが中子１５に当接して螺合量が規制される。従って、電球１９を中子１５に当接した状態で締付けることができ、圧縮機の振動等による電球の緩みを防止することができる。また、中子１５により電球１９の螺合量が規制されるので、接点１６のバネ性が破壊されず、接点１６と端子１９ｂとを確実に導通させることができる。
【００２１】
次に、図４は第２実施形態の冷蔵庫の照明装置の詳細を示す側面断面図である。説明の便宜上、前述の図１〜図３に示す第１実施形態と同一の部分は同一の符号を付している。本実施形態は照明装置１０の中子１５の形状が第１実施形態と異なっている。その他の部分は第１実施形態と同一である。
【００２２】
中子１５は先端を屈曲して電球１９の端面１９ｃに面接触する平面部１９ｄを有している。これにより、中子１５の強度を向上できるとともに、電球１９により中子１５を押圧する押圧力が分散して電球１９の端面１９ｃ及び中子１５の損傷を防止することができる。
【００２３】
第１、第２実施形態において、接点１６は弾性を有していればコイルバネ等の他の弾性体から成ってもよい。また、冷凍室３や野菜室４に冷蔵室２と同様の照明装置１０を設けてもよい。
【産業上の利用可能性】
【００２４】
本発明によると、庫内を照明する照明装置を有した冷蔵庫に利用することができる。
【図面の簡単な説明】
【００２５】
【図１】本発明の第１実施形態の冷蔵庫を示す斜視図
【図２】本発明の第１実施形態の冷蔵庫の概略を示す側面断面図
【図３】本発明の第１実施形態の冷蔵庫の照明装置を示す側面断面図
【図４】本発明の第２実施形態の冷蔵庫の照明装置を示す側面断面図
【符号の説明】
【００２６】
１    冷蔵庫
２    冷蔵室
３    冷凍室
４    野菜室
５、６、７  断熱扉
１０    照明装置
１１    カバー
１２    ソケット
１３    受金
１４    絶縁体
１５    中子
１６    接点
１７、１８  リード線
１９    電球
１９ａ  口金部
１９ｂ  端子
１９ｃ  端面
１９ｄ  平面部
【図１】
2007032894.tif 000003
【図２】
2007032894.tif 000004
【図３】
2007032894.tif 000005
【図４】
2007032894.tif 000006